(57)【要約】  吊り下げ装置は、支持構造体５の貫通穴５０２内に収容保持された差込みスリーブ１と、この差込みスリーブに差込み可能な支持アーム２とを備え、この支持アームは直接的な一次商品支持体として使用可能であるかあるいは二次商品支持体を支持するために使用可能である。差込みスリーブ１は、通路の入口を前面側に有するスリーブ部材と、通路に隣接する少なくとも１個の第１ロック部分１１５０と、スリーブ部材から延在するフランジ１０とを備えている。支持アーム２には、通路に挿入するために画定した差込み部分２１が設けられ、この差込み部分は差込み端部２０と少なくとも１つの第１相手側部分２３とを有し、この相手側部分は支持アーム２の挿入した端位置で第１ロック部分１１５０と協働する。自由空間内に延在させるための前側端部２２が、差込み部分２１とは反対側に設けられている。第１ロック部分１１５０は上側から通路内に達する隆起部であり、この隆起部は通路の入口から離れたところにある。差込み部分２１の第１相手側部分２３は差込み端部２０に対してずらして上側に設けられた主要穴２３である。通路はその入口の背後の下側範囲に拡大部１１５２を有し、および／または差込み部分２１の下側範囲はその延在方向において下側に向かって横断面を縮小しており、それによって斜めに持ち上げた姿勢で通路内に差込む支持アーム２の差込み部分２１は、そのロック端位置に達する前に、この傾斜方向に自由空間を有する。
2009519734.tif 000002
【特許請求の範囲】
【請求項１】
支持構造体（５）の貫通穴（５０２、５１５；５２２）内に収容保持された差込みスリーブ（１、１’）と、この差込みスリーブに差込み可能な支持アーム（２）とを備え、この支持アームが直接的な一次商品支持体として使用可能であるかあるいは二次商品支持体（３、４）を支持するために使用可能であり、
ａ）  差込みスリーブ（１、１’）が、
ａａ）  通路（１１５）の入口を前面側に有するスリーブ部材（１１）と、
ａｂ）  通路（１１５）に隣接する少なくとも１個の第１ロック部分（１１５０）と、
ａｃ）  スリーブ部材（１１）から延在するフランジ（１０）とを備え、
ｂ）  支持アーム（２）が、
ｂａ）  通路（１１５）に挿入するために画定された差込み部分（２１）を備え、この差込み部分が差込み端部（２０）と少なくとも１つの第１相手側部分（２３）とを有し、この相手側部分が支持アーム（２）の挿入した端位置で第１ロック部分（１１５０）と協働し、
ｂｂ）  さらに、自由空間内に延在させるために画定された差込み部分（２１）とは反対側にある前側端部（２２）を備えている、
吊り下げ装置において、
ｃ）  第１ロック部分（１１５０）が上側から通路（１１５）内に達する隆起部であり、この隆起部が通路（１１５）の入口から離れたところにあり、
ｄ）  差込み部分（２１）の第１相手側部分（２３）が差込み端部（２０）に対してずらして（ｂ）上側に設けられた主要穴（２３）であり、
ｅ）  通路（１１５）がその入口の背後の下側範囲に拡大部（１１５２）を有し、および／または差込み部分（２１）の下側範囲がその延在方向において下側に向かって横断面を縮小しており、それによって斜めに持ち上げた姿勢で通路（１１５）内に差込む支持アーム（２）の差込み部分（２１）が、そのロック端位置に達する前に、この傾斜方向に自由空間を有することを特徴とする吊り下げ装置。
【請求項２】
ａ）  通路（１１５）の入口の方向において第１ロック部分（１１５０）の前方に、乗り上げ部（１１５１）が設けられ、
ｂ）  前側端部（２２）の方向において第１相手側部分（２３）の前方に、延長部分（２４）が乗り上げ部（１１５１）に対して相補的に設けられていることを特徴とする請求項１に記載の吊り下げ装置。
【請求項３】
ａ）  乗り上げ部（１１５１）がほぼ、第１ロック部分（１１５０）の方へ傾斜した平面として形成され、
ｂ）  延長部分（２４）が主要穴（２３）に接続する穴拡張部（２４）として形成されていることを特徴とする請求項２に記載の吊り下げ装置。
【請求項４】
差込みスリーブ（１、１’）の拡大部（１１５２）の少なくとも一部が、通路（１１５）の差込み深さの方に増大する傾斜下降した壁部によって形成され、この傾斜下降した壁部に、拡大部（１１５２）を形成するために寄与する壁部開口が接続可能であることを特徴とする請求項１〜３のいずれか一項に記載の吊り下げ装置。
【請求項５】
ａ）  第１相手側部分（２３）に加えて、第２相手側部分（２５）が支持アーム（２）の差込み部分（２１）に設けられ、
ｂ）  第２相手側部分（２５）に対して相補的な第２ロック部分（１３４）を通路（１１５）内に設けることが可能であることを特徴とする請求項１〜４の少なくとも一項に記載の吊り下げ装置。
【請求項６】
ａ）  第２相手側部分（２５）が差込み部分（２１）の下側と差込み端部（２０）に開口する溝（２５）であり、
ｂ）  第２ロック部分（１３４）が通路（１１５）内に達する隆起部（１３４）であることを特徴とする請求項５に記載の吊り下げ装置。
【請求項７】
ａ）  第２ロック部分（１３４）が、スリーブ部材（１１）の背面（１１８）に取付けられる背板（１３）の内面（１３１）から突出しており、
ｂ）  スリーブ部材（１１）の下側壁部に切欠き（１１７）が設けられ、この切欠きが背面（１１８）に開口し、第２ロック部分（１３４）を部分的に収容保持する場所を提供することを特徴とする請求項５または６に記載の吊り下げ装置。
【請求項８】
ａ）  板状フランジ（１０）がスリーブ部材（１１）を横切るように延在し、
ｂ）  スリーブ部材（１１）の前側部分（１１０）がフランジ前面（１００）からほぼ垂直に突出し、
ｃ）  スリーブ部材（１１）の後側部分（１１１）がフランジ背面（１０１）からほぼ垂直に突出し、
ｄ）  フランジ（１０）が支持構造体（５）に固定するためにねじ穴（１０４、１０５）を有し、
ｅ）  前側部分（１１０）が被覆リング（１２）を収容保持するために係止部分（１１３）を備え、この被覆リングが支持構造体（５）の貫通穴（５０２）のエッジを被覆する働きをすることを特徴とする請求項１〜７のいずれか一項に記載の吊り下げ装置。
【請求項９】
フランジ（１０）が、
ａ）  その前面（１００）をパネル背面（５０１）に載せるために使用可能であり、この場合前側部分（１１０）が貫通穴（５０２）内に位置することになり、または
ｂ）  その背面（１０１）を支柱（５１０）の前面（５１１）に載せるために使用可能であり、この場合後側部分（１１１）が切欠き（５１５）を通って支柱（５１０）の内部に達していることを特徴とする請求項１〜８のいずれか一項に記載の吊り下げ装置。
【請求項１０】
ａ）  好ましくは円形のフランジ（１０）がスリーブ部材（１１）の前に一体的に設けられ、かつ通路（１１５）の入口を取り囲んでおり、
ｂ）  スリーブ部材（１１）が雄ねじ（１１１０）を有し、この雄ねじが袋ナット（１４）の雌ねじ（１４４）に螺合し、
ｃ）  フランジ背面（１０１）が組み立て状態で、支持構造体（５）、好ましくは例えばガラス製の垂直板（５２）の前面（５２０）上に位置しており、
ｄ）  袋ナット（１４）が支持構造体（５）の背面（５２１）からスリーブ部材（１１）にねじ込まれていることを特徴とする請求項１〜７のいずれか一項に記載の吊り下げ装置。
【請求項１１】
ａ）  支持アーム（２）の横断面が円形、楕円形、長方形または正方形であり、支持アームが好ましくは管材料からなり、
ｂ）  支持アーム（２）の差込み部分（２１）の横断面が支持アーム（２）に対して変更されていないかあるいは横断面の長さが下側へ縮小可能であることを特徴とする請求項１〜１０のいずれか一項に記載の吊り下げ装置。
【請求項１２】
支持アーム（２）の差込み部分（２１）において、差込み端部（２０）の方への下側横断面範囲の長さ縮小部が、軸方向に均一に、段階的にまたはほぼくさび状に形成されていることを特徴とする請求項１１に記載の吊り下げ装置。
【発明の詳細な説明】
【技術分野】
【０００１】
発明の適用分野
本発明は、支持構造体によって収容保持されたスリーブと、このスリーブに差込み可能である、一次商品支持体としてのあるいは二次商品支持体、例えば棚板を支持するためのアームとを備えた吊り下げ装置に関する。この装置は個別的には金具として使用可能であり、さらにこのような多数の装置によって、例えば展示面を市販装置に装備することができる。支持構造体としては例えば固定されたパネルまたは可動のパネル、下部構造体またはガラス製の垂直板等を用いることができる。
【背景技術】
【０００２】
従来技術
支持構造体によって収容保持されたスリーブとこのスリーブに差込み可能なアームとを備えた吊り下げ装置は例えば特許文献１、特許文献２、特許文献３、特許文献４および特許文献５によって知られている。
【０００３】
【特許文献１】欧州特許第１  ０６１  ８３７  Ｂ１号明細書
【特許文献２】国際公開第０１／８７  １２３  Ａ１号パンフレット
【特許文献３】独国実用新案第２０２  ０２  ８５６  Ｕ１号明細書
【特許文献４】独国実用新案第２０３  １９  ２６６  Ｕ１号明細書
【特許文献５】独国実用新案第２０  ２００４  ００４  ７８３  Ｕ１号明細書
【発明の開示】
【発明が解決しようとする課題】
【０００４】
発明の課題
上記種類の吊り下げ装置から出発して、本発明の根底をなす課題は、ばね要素を必要としない異なる種類の装置を提供することである。
【課題を解決するための手段】
【０００５】
発明の概要
吊り下げ装置は、支持構造体の貫通穴内に収容保持された差込みスリーブと、この差込みスリーブに差込み可能な支持アームとを備え、この支持アームが直接的な一次商品支持体として使用可能であるかあるいは二次商品支持体を支持するために使用可能である。差込みスリーブは、通路の入口を前面側に有するスリーブ部材と、通路に隣接する少なくとも１個の第１ロック部分と、スリーブ部材から延在するフランジとを備えている。支持アームには、通路に挿入するために画定された差込み部分が設けられ、この差込み部分は差込み端部と少なくとも１つの第１相手側部分とを有し、この相手側部分は支持アームの挿入した端位置で第１ロック部分と協働する。差込み部分の反対側には、自由空間内に延在させるために画定された前側端部が設けられている。第１ロック部分は、上側から通路内に達する隆起部であり、この隆起部は通路の入口から離れたところにある。差込み部分の第１相手側部分は差込み端部に対してずらして上側に設けられた主要穴である。通路はその入口の背後の下側範囲に拡大部を有し、および／または差込み部分の下側範囲がその延在方向において下側に向かって横断面を縮小しており、それによって斜めに持ち上げた姿勢で通路内に差込む支持アームの差込み部分が、そのロック端位置に達する前に、この傾斜方向に自由空間を有する。
【０００６】
次に、本発明の特別な実施形態を説明する。通路の入口の方向において第１ロック部分の前方に、乗り上げ部が設けられている。前側端部の方向において相手側部分の前方に、延長部分が乗り上げ部に対して相補的に設けられている。乗り上げ部はほぼ、第１ロック部分の方へ傾斜した平面として形成されている。延長部分は主要穴に接続する穴拡張部として形成されている。差込みスリーブの拡大部の少なくとも一部は、通路の差込み深さの方に増大する傾斜下降した壁部によって形成され、この傾斜下降した壁部に、拡大部を形成するために寄与する壁部開口が接続可能である。
【０００７】
第１相手側部分に加えて、第２相手側部分が支持アームの差込み部分に設けられている。第２相手側部分に対して相補的な第２ロック部分を通路内に設けることが可能である。第２相手側部分は差込み部分の下側と差込み端部に開口する溝である。第２ロック部分は通路内に達する隆起部である。第２ロック部分は、スリーブ部材の背面に取付けられる背板の内面から突出している。スリーブ部材の下側壁部に切欠きが設けられ、この切欠きは背面に開口し、第２ロック部分を部分的に収容保持する場所を提供する。
【０００８】
板状フランジがスリーブ部材を横切るように延在し、スリーブ部材の前側部分がフランジ前面からほぼ垂直に突出し、スリーブ部材の後側部分がフランジ背面からほぼ垂直に突出している。フランジは支持構造体に固定するためにねじ穴を有する。前側部分は被覆リングを収容保持するために係止部分を備え、この被覆リングは支持構造体の貫通穴のエッジを被覆する働きをする。フランジは、その前面をパネル背面に載せるために使用可能であり、この場合前側部分は貫通穴内に位置することになるか、またはフランジ部分は、その背面を支柱の前面に載せるために使用可能であり、この場合後側部分は切欠きを通って支柱の内部に達している。
【０００９】
代替的に、好ましくは円形のフランジがスリーブ部材の前に一体的に設けられ、かつ通路の入口を取り囲んでいる。スリーブ部材は雄ねじを有し、この雄ねじは袋ナットの雌ねじに螺合する。フランジ背面は組み立て状態で、支持構造体、好ましくは例えばガラス製の垂直板の前面上に位置している。袋ナットは支持構造体の背面からスリーブ部材にねじ込まれている。
【００１０】
支持アームの横断面は円形、楕円形、長方形または正方形であり、支持アームは好ましくは管材料からなっている。支持アームの差込み部分の横断面は支持アームに対して変更されていないかあるいは横断面の長さが下側へ縮小可能である。支持アームの差込み部分において、差込み端部の方への下側横断面範囲の長さ縮小部は、軸方向に均一に、段階的にまたはほぼくさび状に形成されている。
【発明を実施するための最良の形態】
【００１１】
実施形態
次に、添付の図を参照して、本発明に係る吊り下げ装置の実施形態を詳しく説明する。
【００１２】
すべての説明にとって次のことが当てはまる。図には、図式的に明示するために、参照番号が記入してある。しかし、直接関連する明細書部分に参照番号が説明されていないことがあり、その場合には図に基づく先行する説明または後続の説明における参照番号についての言及が参照される。「繰り返し」部品であることが図から一義的に認められる場合には、一読して理解しやすくするために、他の図において部品の繰り返し説明を省略する。
【００１３】
図１Ａと１Ｂ
実例として形成された展示壁は実質的に、支持構造体５の機能を発揮するパネル５０からなっている。このパネル上には、格子状に配置された差込みスリーブ１が配置されている。この差込みスリーブには支持アーム２を再び取外し可能に差し込むことができる。この支持アーム自体は一次商品支持体としての働きをするかまたは例えば棚板３または横棒４の形をした二次商品支持体を支持する働きをする。図示した例では、パネル５０は差込みスリーブ１を縦方向に５列および横方向に２列備えている。この場合、縦方向２列は支持アームを備えていない。パネル５０は垂直に立てられている。差込みスリーブ１はパネル背面側５０１から取付けられ、一方、支持アーム２とその他の商品支持体３、４はパネル前面５００から自由周囲空間に突出し、それによって例えば顧客の方に向いている。水平に配置された棚板３は通常、少なくとも２本の支持アーム２によって支持される。支持アーム２は真っ直ぐにかつほぼ水平に周囲空間内に延在してもよいし、または曲がった形または段付き形状またはブラケット２９を備えた形式のような他の典型的な形を有していてもよい。半分の高さ位置に、組み合わせ構造体が取付けられている。この組み合わせ構造体の場合、並べて位置決めされた２本の支持アーム２が棚板３を支持し、下方に延在するブラケット２９を備えている。このブラケットは横棒４を支持している。露出した支持アーム２と横棒４は商品を直接掛けるために利用可能であり、棚板３は商品を載せるために役立つ。支持アーム２が差込みスリーブ１の格子内で簡単に移し変え可能であるので、変更されたレイアウト形状が生じる。
【００１４】
図２Ａ〜２Ｆ
第１実施形の差込みスリーブ１は垂直な平面内にあるフランジ１０と、このフランジを貫通突出するスリーブ部材１１とを備えている。従って、フランジ前面１００からスリーブ部材１１の前側部分１１０が延在し、フランジ背面１０１からスリーブ部材１１の後側部分１１１が延在している。差込みスリーブ１の様々な固定方法のために、フランジ１０は多数の第１と第２のねじ穴１０４、１０５を備えている。それによって、ねじ１９を取付けることができる。スリーブ部材１１の位置はフランジ１０を上側部分１０２とその下にある長い下側部分１０３に分ける。フランジ背面１０１において、支持リブ１０６が後側部分１１１に向けて延在している。後側部分１１１の端部はリング状の背面１１８によって形成されている。通路１１５はこの背面内に出口を有する。この通路は前側部分１１０にその入口を有する。背面１１８には、ねじ１３９によって固定された背板１３が配置されている。この背板は通路１１５の出口を閉鎖している。そのために、背面１１８にはめくら穴ねじ１１９が設けられている。背板１３の外面１３０はほぼ滑らかであり、これに対して内面１３１にはその下側中央に、鼻状に突出する第２のロック部分１３４が設けられている。ロック部分１３４の両側に、ねじ１３９を通すための各々１つの穴１３２と、スリーブ部材１１の後側部分１１１のエッジ領域を取り囲むための各々１つの垂直な側面ウェブ１３３が設けられている。背面１１８の下側中央から、切欠き１１７が後側部分１１１内に延在している。それによって、背板１３を組み立てる際に、第２ロック部分１３４の一部が切欠き１１７内で位置を占める。フランジ背面１０１の方向マーク１０７は、組み立て時の差込みスリーブ１の上記の配向を示している。
【００１５】
スリーブ部材１１の前側部分１１０はその前側につば１１６を備えている。このつばはその端部に垂直な平面内にある環状面１１４を備え、かつ円形の開口の縁を形成している。この開口は通路１１５の入口を形成している。通路は異なる形状寸法を有しつつスリーブ部材１１の内部全体を通って軸方向に延在している。背面１１８から間隔ａをおいて、第１ロック部分１１５０が上側から通路１１５内に突出している。通路１１５の前面側の入口から見てロック部分１１５０の手前に、傾斜面のような乗り上げ部１１５１が設けられている。通路１１５は背面１１８の方へ向かって、下方に傾斜した拡大部１１５２を有する。それによって、通路１１５は入口が遊び１１５３を除いてほぼ円形の断面を有し、かつ背面１１８の方に向かって内法高さが増大している。
【００１６】
つば１１６はフランジ前面１００の方向において環状肩部１１２に接続している。この環状肩部は環状面１１４に対して平行に延在している。前側部分１１０は環状肩部１１２の背後において外径が拡大してフランジ前面１００に達するまで延在し、そして均一に分配配置された複数の半径方向の係止部分１１３を備えている。所定の組込み状態（図６Ｃ参照）のために被覆リング１２が設けられている。この被覆リングの円板部分１２０は組み立て状態でパネル前面５００上に位置することになり、そのウェブ１２１の内側の係止面１２２は係止部分１１３に係合し、それによって被覆リング１２を所定の位置に保持する。
【００１７】
図３Ａ〜３Ｃ
例えば真っ直ぐに形成された支持アーム２は実質的に、横断面が円形の管部材からなっている。この管部材は差込み端部２０と前端部２２の間で延在している。差込み部分２１は差込み端部２０の側にあり、一方、前端部２２は栓２８を備え、かつ一般的に上側に突出する保持ピン２７を備えている。この保持ピンは掛けられた物品、特に衣服ハンガーの滑り落ちを防止する。差込み部分２１内の上側範囲には、差込み端部２０から間隔ｂをおいて、穴２３が設けられている。この穴は鍵穴状に穴延長部２４に接続している。この穴延長部は前端部２２の方へ軸方向に延びている。差込み部分２１の下側範囲には、組み合わせ穴２３、２４にほぼ向き合わせて、溝２５が設けられている。この溝は前端部２２の方へ延び、差込み端部２０の方に開口している。
【００１８】
図４Ａ〜４Ｄ
一連のこれらの図は、支持アーム２を差込みスリーブ１に取付ける際の特徴的な４つの段階に基づいて、差込みスリーブ１と支持アーム２からなる吊り下げ装置の機能原理を示している。ロックされた端位置において差込み部分２１を差込みスリーブ１内に装着した支持アーム２の取外しは、逆の順序で行われる。
【００１９】
図４Ａ（第１取付け段階）
上側遊び１１５３と、第１ロック部分１１５０と、その手前にある乗り上げ部１１５１と、拡大部１１５２と、第２ロック部分１３４とを有する差込みスリーブ１の通路１１５は空いている。この場合、通路１１５の入口はそれまでは周囲空間に開口している。支持アーム２を差込みスリーブ１に挿入しようとすると、支持アーム２を通路１１５に対して軸方向に一直線上に並べ、差込み端部２０を通路の方に向け、そして近づけなければならない。その際、穴２３、２４の組み合わせが上側に位置し、溝２５が垂直方向においてその下側に位置するようにしなければならない。
【００２０】
図４Ｂ（第２取付け段階）
差込み部分２１が先ず最初にある程度通路１１５の入口に挿入される。この場合、支持アーム２をほぼ水平にしてもよいし、または先を見越して斜めになるようにその前端部２２を持ち上げてもよい。この傾斜姿勢は上側遊び１１５３によって可能となる。そのとき、支持アーム２の穴の組み合わせ２３、２４はまだ、差込みスリーブ１の第１ロック部分１１５０とその乗り上げ部１１５１に全く係合していない。さらに、差込み部分２１の溝２５と差込みスリーブ１の第２ロック部分１３４はまだ互いに離れている。差込み部分２１を通路１１５内にさらに挿入することによって、まだほぼ水平に向いている支持アーム２はその差込み部分２１の上側範囲が乗り上げ部１１５１に当たり、それによって益々傾斜位置に移動する。
【００２１】
図４Ｃ（第３取付け段階）
支持アーム２の傾斜が大きくなる中で、差込み部分２１は通路１１５内の最大挿入深さまで達する。これは、差込み端部２０が背板１３の内面１３１に当接し、第２ロック部分１３４が溝２５に入り、そして第１ロック部分１１５０が乗り上げ部１１５１と共に穴組み合わせ部２３、２４の上方でこの穴組み合わせ部と重なるまで行われる。
【００２２】
図４Ｄ（第４取付け段階）
第３取付け段階（図４Ｃ参照）に達した後で、支持アーム２を水平位置の方へ揺動させる。それによって、第２ロック部分１３４は完全に溝２５内に達し、第１ロック部分１１５０は乗り上げ部１１５１と共に穴組み合わせ部２３、２４内に入る。この場合、差込み部分２１の上側範囲は通路１１５の天井面に当たる。そのとき拡大部１１５２はくさび状の空隙を形成する。第１ロック部分１１５０が穴２３に係合することにより、支持アーム２はロックされた端位置にあり、軸方向に引き抜くことはできない。第１ロック部分１１５０と穴２３との間のロックを解除するためには、支持アーム２を斜め上に持ち上げる必要がある。第２ロック部分１３４と、それが部分的に装着される溝２５との間の協働はもっぱら、挿入された支持アーム２の付加的な回転防止機能を有する。この場合、乗り上げ部１１５１を備えた第１ロック部分１１５０と穴組み合わせ部２３、２４との係合も、回転防止作用をする。この二重の回転防止によって、特に非対称な荷重を受ける二次商品支持体、例えば棚板３が１本の支持アーム２に載るときにも、安定性が高まる。
【００２３】
図５Ａ〜５Ｄ
この用途では、支持構造体５としてパネル５０が使用される。このパネルは差込みスリーブ１を保持するために、第１実施形の貫通穴５０２を備えている。この貫通穴５０２はパネル前面５００の近くに環状肩部５０３を有する。環状肩部の前で穴５０２の直径が小さくなっている。組込み状態で、スリーブ部材１１の環状肩部１１２が環状肩部５０３に当接する。この場合、前側部分１１０全体が貫通穴５０２に差し込まれる。前面の環状面１１４はほぼパネル前面５００の平面上に位置することになる。フランジ前面１００はパネル背面５０１に接触する。この場合、フランジ１０はねじ穴１０４および／または１０５を通過するねじ１９によってパネル５０にねじ止めされている。環状肩部１１２とつば１１６を備えたスリーブ部材１１の前側部分１１０は、相補的に形成された貫通穴５０２にかみ合っていてほぼ隙間がない。挿入された支持アーム２は環状面１１４によって包囲され、周囲空間内に突出している。従って、一次商品支持体としての機能により、商品を支持アームに直接掛けることができるか、または二次商品支持体、例えば棚板３を支持することができる。
【００２４】
図６Ａ〜６Ｄ
ここでも、支持構造体５としてパネル５０が使用される。このパネルは差込みスリーブ１を保持するために、第２実施形の貫通穴５０２を備えている。この貫通穴は直径が変わらぬように全体が円筒形に形成されている。組込み状態で、つば１１６を取り囲む環状隙間が貫通穴５０２内において環状肩部１１２の前に形成される。この隙間はパネル前面５００から見える。第２実施形の簡単な貫通穴５０２の加工は、第１実施形の貫通穴よりも低コストである。開放した環状隙間を外見的に遮蔽するために、被覆リング１２が嵌め込まれる。この被覆リングのウェブ１２１はスリーブ部材１１の前側部分１１０の係止部分１１３に係合する。被覆リング１２の円板部分１２０は環状隙間を閉鎖し、環状面１１４と、貫通穴５０２の開口を取り囲むパネル前面５００のエッジとに接触する。被覆リング１２を合成樹脂射出成形品として製作すると有利である。差し込まれた支持アーム２は外見的に被覆リング１２によって縁取りされる。
【００２５】
図７Ａ〜７Ｇ
他の用途では、差込みスリーブ１を保持するための支持構造体５として下部構造体５１が使用される。この下部構造体は例えば、背部Ｈから一定の間隔をおいて一平面内に設置された３本の垂直支柱５１０から構成されている。隣接する垂直支柱５１０の間にそれぞれ複数の横方向連結部材５１８が配置され、多数のＬ形ホルダー５１７が垂直支柱５１０と背部Ｈとの間の連結部としての働きをすると有利である。垂直支柱５１０のいちばん下に配置された脚部５１９が床に載る。垂直支柱５１０は好ましくは横断面が正方形の中空成形体であり、前方に向いた第１外面５１１と、それに隣接し側方に向いた第２外面５１２と、後方に向いた第３外面５１３と、それに隣接し他の側方に向いた第４外面５１４を有する。横方向連結部材５１８はそれぞれ、隣接する垂直支柱５１０の第２と第４の外面５１２、５１４に固定されている。横方向連結部材５１８はフレーム構造体を安定させる働きをし、垂直支柱５１０間の所定の間隔を維持する。ホルダー５１７が一方では第４外面５１４に、他方では背部Ｈに取付けられると有利である。
【００２６】
前方に向いた第１外面５１１には、格子状に配置された多数の切欠き５１５がほぼ長方形の切り込みによって設けられている。この切欠き５１５は垂直支柱５１０の内部の中空室へのアクセスを可能にする。個々の切欠き５１５から複数のスリットが延在し、その隣にねじ穴５１６が設けられている。切欠き５１５には差込みスリーブ１を挿入することができる。この差込みスリーブのフランジ背面１０１は第１外面５１１上に位置することになり、スリーブ部材１１の後側部分１１１は切欠き５１５を通って垂直支柱５１０内に挿入される。フランジ背面１０１の支持リブ１０６は切欠き５１５から延在するスリット内に位置する。差込みスリーブ１の固定は、例えばフランジ１０の第１ねじ穴１０４を通って垂直支柱５１０のねじ穴５１６に係合するねじ１９によって行われる。スリーブ部材１１の前側部分１１０はフランジ前面１００から周囲空間内に突出している。
【００２７】
このようにして設置された構造体には、付属板７が上張りされる。この付属板の背面７１はフランジ前面１００に載っている。スリーブ部材１１の前側部分１１０を通過させるために、付属板７には、一致するように位置決めされた穴７２が設けられている。前面７０の穴７２の縁を外見上きれいに被覆するために、被覆リング１２が前側部分１１０の係止部分１１３に嵌められている。それによって、差込みスリーブ１の通路１１５の入口は支持アーム２の挿入のために受け入れ準備が出来ている。
【００２８】
図８Ａ〜８Ｄ
この図には、例えばガラス製の特別な垂直板５２からなる支持構造体５に組み込むための第２実施形の変形された差込みスリーブ１’が示してある。この差込みスリーブ１’は最も前側に、円形リングとして形成されたフランジ１０を備えている。このフランジの前面１００に、通路１１５の入口が形成されている。フランジ背面１０１から、スリーブ部材１１全体が延在している。このスリーブ部材は半径方向において周方向の雄ねじ１１１０を備え、上側に外面の平坦部１１１１を有する。この平坦部の位置は組み立て時に差込みスリーブ１’の所定の回転位置を示す。平坦部１１１１の反対側でスリーブ部材１１は開放している。後側では、スリーブ部材１１は再び背面１１８によって閉鎖され、その内側に、乗り上げ部１１５１を有する第１ロック部分１１５０が設けられている。拡大部１１５２はフランジ１０に続いて先ず傾斜して延在し、そして背面１１８の方向においてスリーブ部材１１の開放した下側範囲によって形成されている。
【００２９】
特に、例えばガラス板のような脆い材料からなる垂直板５２に差込みスリーブ１’を挿入する際には、それぞれ前面５２０と背面５２１において、貫通穴５２２を縁取りするカラー１６を使用することが推奨される。このカラー１６は断面がＬ字形であり、環状セグメント１６２と円筒セグメント１６３とからなっている。貫通穴５２２に挿入された差込みスリーブ１’を保持するために、キャップ状の袋ナット１４が設けられている。この袋ナットは底１４５と、内側に雌ねじ１４４とを有し、この雌ねじは雄ねじ１１１０に螺合するために画定したものである。底１４５とは反対側の端部に、袋ナット１４は環状肩部１４３を備えている。
【００３０】
組み立て状態で、両カラー１６の環状セグメント１６２は垂直板５２の前面５２０または背面５２１上に位置する。一方、カラー１６の円筒セグメント１６３は相互に向き合うように貫通穴５２２内に挿入されている。フランジ１０は前面５２０上に位置し、スリーブ部材１１は貫通穴５２２を通過し、背面５２１から突出している。スリーブ部材１１にねじ込まれた袋ナット１４はそのねじ１４４が雄ねじ１１１０に螺合し、環状肩部１４３が隣接するカラー１４の環状セグメント１６２に載っている。この場合、第１ロック部分１１５０から底１４５の内面まで自由空間ｃが生じ、袋ナット１４の内壁まで延在する拡大部１１５２が設けられている。袋ナット１４にねじ込み工具を装着するために、外側からアクセス可能な係合部１４６が底１４５に設けられている。
【００３１】
図９Ａ〜９Ｄ
第２実施形の差込みスリーブ１’内への支持アーム２の取付けの際の段階的な経過は、図４Ａ〜４Ｄに示した第１実施形の差込みスリーブ１による取付け原理とほぼ一致している。第１取付け段階による近接と、第２取付け段階における差込み部分２１のある程度の挿入（図９Ａ参照）は、第１実施形の差込みスリーブの場合の過程と全く同じである。第２実施形の差込みスリーブ１’を使用する場合には、下側の第２ロック部分１３４が設けられていないので、差込み部分２１の溝２５は第３取付け段階（図９Ｂ参照）と第４取付け段階（図９Ｃ参照）によるロックされた最終位置において使用されずに空いている。第３取付け段階（図９Ｂ参照）における支持アーム２の傾斜位置において、差込み部分２１の下側範囲は、支持アーム２の差込み深さを制限する、三次元的な大きさが異なる拡大部１１５２内に達する。最終位置（図９Ｃ参照）において、差込み部分２１のオフセット部ｂが第１ロック部分１１５０の背後に位置し、それによって自由空間ｃの一部に配置される。
【図面の簡単な説明】
【００３２】
【図１Ａ】本発明に係る吊り下げ装置を規則的に備えた、支持構造体としてのパネルを示す正面図であり、この吊り下げ装置はパネルに挿入された差込みスリーブと、この差込みスリーブに取付けられた一次商品支持体としての支持アームとを備え、この支持アームによって個々の二次商品支持体が支持されている。
【図１Ｂ】図１Ａの側面図である。
【図２Ａ】近づけた被覆リングと共に第１実施形の差込みスリーブを示す前側から見た斜視図である。
【図２Ｂ】図２Ａの差込みスリーブを後側から見た斜視図である。
【図２Ｃ】背板を取り外した図２Ｂに示した差込みスリーブを後側から見た斜視図である。
【図２Ｄ】図２Ｃの背板を内側から見た斜視図である。
【図２Ｅ】背板を備えていない図２Ａの差込みスリーブの垂直断面図である。
【図２Ｆ】背板を備えた図２Ｅの差込みスリーブの垂直断面図である。
【図３Ａ】支持アームを前側から見た斜視図である。
【図３Ｂ】図３Ａの支持アームを後側から見た斜視図である。
【図３Ｃ】図３Ａの支持アームの垂直縦断面図である。
【図４Ａ】図４Ａは図２Ａの第１実施形の差込みスリーブへの支持アームの取付けの第１段階を示す垂直縦断面図であり、差込みスリーブへの支持アームの近接としての第１取付け段階を示す。
【図４Ｂ】図４Ｂは図２Ａの第１実施形の差込みスリーブへの支持アームの取付けの第２段階を示す垂直縦断面図であり、支持アームが斜めに持ち上げられ、差込みスリーブ内に部分的に挿入され、そして非ロック位置にある、第２取付け段階を示す。
【図４Ｃ】図４Ｃは図２Ａの第１実施形の差込みスリーブへの支持アームの取付けの第３段階を示す垂直縦断面図であり、支持アームが斜めに持ち上げられ、差込みスリーブ内に最も深く挿入され、そして非ロック位置にある、第３取付け段階を示す。
【図４Ｄ】図４Ｄは図２Ａの第１実施形の差込みスリーブへの支持アームの取付けの第４段階を示す垂直縦断面図であり、支持アームが水平位置へ揺動させられ、差込みスリーブ内に最も深く挿入され、そしてロック位置にある、第４取付け段階を示す。
【図５Ａ】図２Ａの差込みスリーブを保持するための環状肩部を有する第１実施形の貫通穴を備えた支持構造体としてのパネルの垂直断面図である。
【図５Ｂ】図５Ａの貫通穴を有するパネルに挿入された図２Ｆの差込みスリーブの垂直断面図である。
【図５Ｃ】図５Ｂの装置を後側から見た斜視図である。
【図５Ｄ】図３Ａの支持アームを挿入した図５Ｂの装置を前側から見た斜視図である。
【図６Ａ】図２Ａの差込みスリーブを保持するための第２実施形の貫通穴を有する支持構造体としてのパネルの垂直断面図である。
【図６Ｂ】図６Ａの貫通穴を有するパネルに挿入された図２Ｆの差込みスリーブの垂直断面図である。
【図６Ｃ】図３Ａの支持アームを差込み、端位置でロックし、図２Ａの被覆リングを係止した、図６Ｂの装置の垂直縦断面図である。
【図６Ｄ】図６Ｃの装置を前側から見た斜視図である。
【図７Ａ】図２Ａの差込みスリーブを規則的に備えた、垂直支柱と横方向連結部材とからなる支持構造体としての下部構造体を前側から見た斜視図である。
【図７Ｂ】図７Ａの部分Ｘ１の拡大図である。
【図７Ｃ】差込みスリーブと図２Ａの被覆リングを近づけた図７Ｂの装置を示す図である。
【図７Ｄ】図７Ａの部分Ｘ２の拡大図である。
【図７Ｅ】図２Ａの差込みスリーブ全部を装着し、被覆板を前に取付け、そして被覆リングを係止した、図７の装置を前側から見た斜視図である。
【図７Ｆ】図７Ｅの部分Ｘ３の拡大図である。
【図７Ｇ】図７Ｆの部分Ｘ４を示す図である。
【図８Ａ】第２実施形の差込みスリーブの分解斜視図である。
【図８Ｂ】垂直板を挿入した図８Ａの差込みスリーブの垂直縦断面図である。
【図８Ｃ】組み立てた図８Ｂの装置の垂直縦断面図である。
【図８Ｄ】図８Ｃの装置を後側から見た図である。
【図９Ａ】図９Ａは図８Ａの第２実施形の差込みスリーブに支持アームを取り付ける第２段階の垂直縦断面図であり、図９Ａは支持アームが斜めに持ち上げられ、差込みスリーブ内に部分的に挿入され、そして非ロック位置にある、第２取付け段階を示す。
【図９Ｂ】図９Ｂは図８Ａの第２実施形の差込みスリーブに支持アームを取り付ける第３段階の垂直縦断面図であり、支持アームが斜めに持ち上げられ、差込みスリーブ内に最も深く挿入され、そして非ロック位置にある、第３取付け段階を示す。
【図９Ｃ】図９Ｃは図８Ａの第２実施形の差込みスリーブに支持アームを取り付ける第４段階の垂直縦断面図であり、支持アームが水平位置へ揺動させられ、差込みスリーブ内に最も深く挿入され、そしてロック位置にある、第４取付け段階を示す。
【図９Ｄ】図９Ｃの装置を前側から見た斜視図である。
【図１Ａ】
2009519734.tif 000003
【図１Ｂ】
2009519734.tif 000004
【図２Ａ】
2009519734.tif 000005
【図２Ｂ】
2009519734.tif 000006
【図２Ｃ】
2009519734.tif 000007
【図２Ｄ】
2009519734.tif 000008
【図２Ｅ】
2009519734.tif 000009
【図２Ｆ】
2009519734.tif 000010
【図３Ａ】
2009519734.tif 000011
【図３Ｂ】
2009519734.tif 000012
【図３Ｃ】
2009519734.tif 000013
【図４Ａ】
2009519734.tif 000014
【図４Ｂ】
2009519734.tif 000015
【図４Ｃ】
2009519734.tif 000016
【図４Ｄ】
2009519734.tif 000017
【図５Ａ】
2009519734.tif 000018
【図５Ｂ】
2009519734.tif 000019
【図５Ｃ】
2009519734.tif 000020
【図５Ｄ】
2009519734.tif 000021
【図６Ａ】
2009519734.tif 000022
【図６Ｂ】
2009519734.tif 000023
【図６Ｃ】
2009519734.tif 000024
【図６Ｄ】
2009519734.tif 000025
【図７Ａ】
2009519734.tif 000026
【図７Ｂ】
2009519734.tif 000027
【図７Ｃ】
2009519734.tif 000028
【図７Ｄ】
2009519734.tif 000029
【図７Ｅ】
2009519734.tif 000030
【図７Ｆ】
2009519734.tif 000031
【図７Ｇ】
2009519734.tif 000032
【図８Ａ】
2009519734.tif 000033
【図８Ｂ】
2009519734.tif 000034
【図８Ｃ】
2009519734.tif 000035
【図８Ｄ】
2009519734.tif 000036
【図９Ａ】
2009519734.tif 000037
【図９Ｂ】
2009519734.tif 000038
【図９Ｃ】
2009519734.tif 000039
【図９Ｄ】
2009519734.tif 000040
【国際調査報告】
2009519734.tif 000041
2009519734.tif 000042
2009519734.tif 000043
2009519734.tif 000044